(57)【特許請求の範囲】
【請求項１】
太陽エネルギー変換パネルを支持するために屋根の傾斜方向に沿って配置された支持用レール部材であって、前記太陽エネルギー変換パネルと前記屋根との間に介装されるレール本体を有し、このレール本体はエラストマーから構成されており、
前記太陽エネルギー変換パネルは屋根の傾斜方向に沿って配置される縦枠を有し、この縦枠は前記レール本体の上面に取り付けられる脚部を有し、この縦枠の脚部を挟んで互いに対向配置した複数の突起部を前記レール本体に設けることによって、前記突起部間に樋を設け、
前記レール本体の上面に、前記脚部を固定するための支持部を前記レール本体の上面より高く形成したことを特徴とする太陽エネルギー変換パネルの支持用レール部材。
【請求項２】
請求項１に記載の太陽エネルギー変換パネルの支持用レール部材において、前記エラストマーはＥＰＤＭであることを特徴とする太陽エネルギー変換パネルの支持用レール部材。
【請求項３】
太陽エネルギー変換パネルを屋根の傾斜方向に沿って配置された請求項１または２に記載の支持用レール部材を介して屋根に支持する構造であって、
前記支持用レール部材を前記屋根に釘止めし、
前記レール本体の上面に形成された前記支持部に、前記縦枠の脚部を固定したことを特徴とする太陽エネルギー変換パネルの支持構造。
【請求項４】
請求項３に記載の太陽エネルギー変換パネルの支持構造であって、前記太陽エネルギー変換パネルは、太陽電池を備えた太陽電池パネルであることを特徴とする太陽エネルギー変換パネルの支持構造。
【発明の詳細な説明】
【０００１】
【発明の属する技術分野】
本発明は、太陽エネルギー変換パネルを支持するために屋根の傾斜方向に沿って配置された支持用レール部材及びこの支持用レールを使用して太陽エネルギー変換パネルを屋根に支持する構造に関する。
【０００２】
【背景技術】
従来より、太陽エネルギーを変換して電気や温水として利用できるようにする太陽電池パネルや太陽熱コレクター等の太陽エネルギー変換パネルがある。このような装置は、住宅等の屋根に設置するのが一般的である。
このうち太陽電池パネルは、屋根に設置するにあたり、水による漏電等の事故を未然に防止するため、太陽電池であるソーラーセルを平板状の完全防水ケースの内部に収めて太陽電池パネルとして設置するのが好ましい。
【０００３】
太陽電池パネルは、一枚の太陽電池パネルで所定の電圧及び電力が得られるようにするため、所定枚数のソーラセルを納めた平板状の完全防水ケースの周縁に縦枠及び横枠を取り付けた構造である。
このような太陽電池パネルの設置構造としては、屋根の野地板に細長い一対の支持用レール部材を傾斜方向に沿って敷設し、この一対の支持用レール部材で太陽電池パネルの縦枠を支持させる構造がある。
従来では、太陽電池パネルを屋根に支持するための支持用レール部材は、アルミニュームを押出成形して長尺状に形成されている。
【０００４】
【発明が解決しようとする課題】
従来の支持用レール部材はアルミニュームで長尺状に形成されているので、折り曲げることができず、扱いにくいという問題点がある。そのため、搬送作業並びに屋根への設置作業において不都合が生じる。
さらに、支持用レール部材は屋根の傾斜方向に沿って配置されるため、屋根面の傾斜方向長さに合わせて長く形成されることが望ましい。しかし、支持用レール部材の長さを長くすると、支持用レール部材が重くなり、搬送作業等において、より扱いにくくなる。そのため、支持用レール部材を所定長さで切断し、現場でレール部材同士を接合する作業が必要となるが、支持用レール部材同士の接合並びに防水を確実に行わないと、この接合部分から漏水する虞れがある。
【０００５】
本発明の目的は、扱いやすいとともに屋根上で配置した際に継ぎ目のない太陽エネルギー変換パネルの支持用レール部材及びこの支持用レール部材を用いた太陽エネルギー変換パネルの支持構造を提供することにある。
【０００６】
【課題を解決するための手段】
本発明は、太陽エネルギー変換パネルと屋根との間に介装されるレール部材をエラストマーから構成して前記目的を達成しようとするものである。具体的には、本発明の太陽エネルギー変換パネルの支持用レール部材は、図面を参照して説明すると、太陽エネルギー変換パネル１を支持するために屋根２の傾斜方向に沿って配置された支持用レール部材５であって、前記太陽エネルギー変換パネル１と前記屋根２との間に介装されるレール本体１０を有し、このレール本体１０はエラストマーから構成されており、
前記太陽エネルギー変換パネル１は屋根２の傾斜方向に沿って配置される縦枠７を有し、この縦枠７は前記レール本体１０の上面に取り付けられる脚部７Ａを有し、この縦枠７の脚部７Ａを挟んで互いに対向配置した複数の突起部１１を前記レール本体１０に設けることによって、前記突起部間に樋を設け、
前記レール本体１０の上面に、前記脚部１０Ａを固定するための支持部１２を前記レール本体１０の上面より高く形成したことを特徴とする。
【０００７】
この構成の本発明では、工場において、レール本体１０を有する支持用レール部材５をエラストマーから押出成形等により長尺状に形成し、この支持用レール部材５を搬送しやすいようにロール状に巻き取る。
このロール状に巻き取った支持用レール部材５を建設現場まで搬送し、屋根２の上で繰り出して屋根傾斜方向に沿って配置し、この支持用レール部材５を屋根面の傾斜方向長さに合わせて切断する。この支持用レール部材５のレール本体１０の上で太陽エネルギー変換パネル１を支持・固定する。
従って、レール本体１０は弾性を有するエラストマーから構成されているため、ロール状に巻き取ることにより、搬送等に際して扱いやすくなり、かつ、建設現場で必要な長さに切断することにより、支持用レール部材５同士を継ぐ作業が不要となる。
【０００８】
ここで、支持用レール部材５の材質たるゴムはＥＰＤＭ（エチレン−プロピレン−ジエン三元共重合体配合物）としてもよい。ＥＰＤＭは耐オゾン性、耐熱性、熱安定性、耐候性等に優れているので、屋根２の上での長期間の使用に耐えることができる。さらに、前記太陽エネルギー変換パネル１は屋根２の傾斜方向に沿って配置される縦枠７を有し、この縦枠７は前記レール本体１０の上面に取り付けられる脚部７Ａを有し、この縦枠７の脚部７Ａを挟んで互いに対向配置した複数の突起部１１を前記レール本体１０に設けた構造となっており、レール本体１０の上面に互いに対向配置された突起部１１が樋として機能するので、支持用レール５の上に溜まった雨水は屋根に流れ落ちることなく軒先に送られる。
【０００９】
また、本発明の太陽エネルギー変換パネルの支持構造３は、太陽エネルギー変換パネル１を屋根２の傾斜方向に沿って配置された請求項１または２に記載の支持用レール部材５を介して屋根２に支持する構造であって、
前記支持用レール部材５を前記屋根２に釘止めし、
前記レール本体１０の上面に形成された前記支持部１２に、前記縦枠７の脚部７Ａを固定したことを特徴とする。
【００１０】
この構成の本発明では、太陽エネルギー変換パネル１を屋根２に支持するために支持用レール部材５を用いているので、前述と同様の効果を奏する。ここで、支持用レール部材５を屋根２に釘止めする際に、支持用レール部材５と屋根２との間にブチルシール１３を介装すれば、支持用レール部材５を確実に屋根２に固定できるとともに、釘打ちされた部分から雨漏りすることがない。
さらに、前記太陽エネルギー変換パネル１は太陽電池を備えた太陽電池パネルから構成されたものでもよい。
【００１１】
【発明の実施の形態】
以下、本発明の一実施の形態を図面に基づいて説明する。
図１及び図２には、本実施の形態の太陽エネルギー変換パネルである太陽電池パネル１を屋根２に支持するための支持構造３が示されている。
これらの図において、支持構造３は、屋根２の野地板４に屋根傾斜方向に沿って配置された複数本の支持用レール部材５で太陽電池パネル１を支持固定するものであり、太陽電池パネル１は屋根２の上で上下左右に複数並べられている。
【００１２】
太陽電池パネル１は、所定数のソーラーセルを収めた平板状の完全防水ケース６と、ケース６の周縁に取付けられた２本の縦枠７及び２本の横枠８とを有するもので、２本の縦枠７は屋根２の傾斜方向に沿って配置され、２本の横枠８は縦枠７の上下端を接続するように屋根２の左右方向に沿って配置されている。
これらのケース６及び枠７，８により防水及び補強がなされ、内部のソーラーセルは、雨水による漏電や短絡等の事故及び太陽電池パネル１の表面に加わる荷重等から保護されるようになっている。
【００１３】
縦枠７は、下方に設けられた脚部７Ａと、この脚部７Ａより上方に形成され防水ケース６を支持する支持部７Ｂと、この支持部７Ｂより上方に形成された第１の係合部７Ｃとを有するものであり、脚部７Ａには、外側の側面の下端部分に外側へ突出する固定用鍔部７Ｄが形成されている。
左右に隣合う太陽電池パネル１の互いに対向する縦枠７に形成された第１の係止部７Ｃは対をなすものであり、これら対をなす第１の係合部７Ｃは水平方向に向けて互いに開口した凹部である。
【００１４】
横枠８は図示しない脚部と防水ケース６を支持する支持部とを有するものである。これらの枠７，８はアルミの押し出し成形により形成されている。
隣合う太陽電池パネル１の隣接する縦枠７の間に形成される継目は閉塞部材９で閉塞されている。この閉塞部材９は、平板状の本体９Ａと、この本体９Ａの両側において本体９Ａと同一平面上に形成され第１の係合部７Ｃと係合する第２の係合部９Ｂとを有し、押し出し成形により形成されたアルミ板である。
【００１５】
支持用レール部材５は、太陽電池パネル１と屋根２との間に介装された長尺平板状のレール本体１０と、このレール本体１０の上部においてそれぞれ中心側に向かって端縁から所定寸法離れて設けられた断面矩形状の２個の突起部１１と、隣合う縦枠７の脚部７Ａをそれぞれ支持する２個の支持部１２とを有し、これらのレール本体１０、突起部１１及び支持部１２はＥＰＤＭ（エチレン−プロピレン−ジエン三元共重合体配合物）から押出成形法により一体形成される。
【００１６】
２個の突起部１１は隣合う太陽電池パネル１の互いに対向する２本の縦枠７の脚部７Ａを挟んで互いに対向配置されている。
支持部１２はレール本体１０の上面より所定寸法高く形成されており、突起部１１と支持部１２との間及び隣合う支持部１２同士の間から樋が構成される。
レール本体１０と屋根２の野地板４との間にはブチルシール１３が介装されている。レール本体１０は太陽電池パネル１の固定用鍔部７Ｄを貫通した釘１４により、屋根２の野地板４に釘止め固定されている。
【００１７】
このような本実施の形態では、工場において、支持用レール部材５、太陽電池パネル１、閉塞部材９等を製造する。この際、支持用レール部材５は、ＥＰＤＭから押出成形等により長尺状に一体形成し、この支持用レール部材５を搬送しやすいように予めロール状に巻き取っておく。さらに、太陽電池パネル１の縦枠７に第１の係合部７Ｃを形成しておく。
【００１８】
ロール状に巻き取った支持用レール部材５を建設現場まで搬送し、この支持用レール部材５を屋根２の野地板４の上で繰り出して屋根傾斜方向に沿って配置する。支持用レール部材５を屋根２に配置する際に、これらの間にブチルシール１３を介装する。なお、支持用レール部材５は屋根面の傾斜方向長さより長めに製造しておき、現場にて、屋根面の傾斜方向長さに合わせて切断する。
【００１９】
これらの支持用レール部材５のレール本体１０の上に複数の太陽電池パネル１を上下左右に並べて載置する。太陽電池パネル１の脚部７Ａに設けられた固定用鍔部７Ｄを２個の突起部１１の間に配置し、釘１４により、この脚部７Ａ及び支持部１２を屋根２の野地板４に釘止めする。
さらにその後、隣合う太陽電池パネル１の互いに対向する縦枠７の第１の係合部７Ｃに、閉塞部材９の第２の係合部９Ｂを係合し、隣合う太陽電池パネル同士の継目を閉塞する。
【００２０】
従って、本実施の形態によれば、太陽エネルギー変換パネルである太陽電池パネル１を支持するために屋根２の傾斜方向に沿って配置された支持用レール部材５は、太陽電池パネル１と屋根２との間に介装されエラストマーから構成されたレール本体１０を有する構造とされたから、レール本体１０の弾性によりロール状に巻き取ることが可能となって搬送等に際して扱いやすくなり、かつ、建設現場で屋根面の傾斜長さに合わせて切断することにより、支持用レール部材５同士の継ぎ目がなくなる。
【００２１】
また、支持用レール部材５の材質であるエラストマーをＥＰＤＭとしたから、ＥＰＤＭ自体が耐オゾン性、耐熱性、熱安定性、耐候性等に優れているので、屋根２の上で支持用レール部材５が腐食・破損することなく、長期間使用することができる。
さらに、太陽電池パネル１は屋根２の傾斜方向に沿って配置される縦枠７を有し、この縦枠７はレール本体１０の上面に取り付けられる脚部７Ａを有し、この縦枠７の脚部７Ａを挟んで互いに対向配置した複数の突起部１１をレール本体１０に設けたから、レール本体１０の上面に互いに対向配置された突起部１１が樋として機能することになり、太陽電池パネル１から支持用レール５の上に溜まった雨水は屋根２に流れ落ちることがなく軒先に送られるので、屋根２から雨漏りすることがない。
【００２２】
その上、支持用レール部材５は隣合う縦枠７の脚部７Ａをそれぞれ支持する２個の支持部１２を有し、これらの支持部１２はレール本体１０の上面より所定寸法高く形成されたから、この支持部１２に脚部７Ａを釘１４で固定する際に、この釘１４の頭部がレール本体１０の上面より高い位置になるため、樋に流れる水に釘１４が浸されることがなく、釘１４の錆を防止できる。
また、レール本体１０と屋根２との間にブチルシール１３を介装するとともにレール本体１０を屋根２に釘止めしたから、レール本体１０を屋根２に確実に固定できるとともに、釘打ちされた部分から雨漏りすることがない。
【００２３】
さらに、本実施の形態では、左右に隣合う太陽電池パネル１の互いに対応する縦枠７に第１の係合部７Ｃをそれぞれ形成し、これらの第１の係合部７Ｃと係合する第２の係合部９Ｂを有する板状の閉塞部材９で左右に隣合う太陽電池パネル１の継目を閉塞したから、この継目を防水処理するに際して、劣化しやすいゴム製のガスケットを使用しなくてもよいため、防水構造の耐久性が向上する。
また、閉塞部材９をアルミ板から形成したから、アルミ自体の耐水性が強いため、防水構造の耐久性がより向上する上、アルミが軽量かつ加工容易なため、閉塞部材９の取扱いが容易となる。
【００２４】
以上、本発明について好適な実施の形態を挙げて説明したが、本発明は、この実施の形態に限られるものでなく、本発明の要旨を逸脱しない範囲において種々の改良並びに設計の変更が可能である。
例えば、太陽エネルギー変換パネルとしては、太陽電池を備えた太陽電池パネル１に限らず、内部に水等の熱媒体を流通させる太陽熱コレクタ等を備えたパネルでもよく、要するに、太陽エネルギーを家庭等で利用できるように変換可能なものであればよい。
【００２５】
また、前記実施の形態では、支持用レール部材５の材質のゴムをＥＰＤＭとしたが、本発明では、他のゴム、例えばブチルゴム等、建築資材として使用されているゴムやシリコン等を含むエラストマーとしてもよい。要するに、所定の長さのレール状部材として製造可能であり、弾性を有するエラストマーであれば、その具体的な材質は問わない。その上、エラストマーからなる支持用レール部材５の表面に耐水性や耐熱性を良好にするテープを必要に応じて貼付するものでもよい。
さらに、本発明では、支持用レール部材５に突起部１１を必ずしも設けることを要せず、平板状のレール本体１０のみから支持用レール部材５を構成してもよい。
【００２６】
また、レール本体１０と屋根２との間にブチルシール１３を介装することなく、レール本体１０を屋根２に直接取り付けた構造でもよい。
さらに、本発明では、左右に隣合う太陽電池パネル１の継目を必ずしも閉塞部材９で閉塞することを要しない。閉塞部材９を使用しない場合、隣合う太陽電池パネル１の間にガスケットを介装すればよい。
【００２７】
【発明の効果】
前述のように本発明によれば、太陽エネルギー変換パネルを支持するために屋根の傾斜方向に沿って配置された支持用レール部材は、太陽電池パネルと屋根との間に介装されエラストマーから構成されたレール本体を有する構造とされたから、レール本体の弾性によりロール状に巻き取ることが可能となって搬送等に際して扱いやすくなり、かつ、建設現場で屋根面の傾斜長さに合わせて切断することにより、支持用レール部材同士の継ぎ目がなくなる。
【図面の簡単な説明】
【図１】本発明の一実施の形態を示す斜視図である。
【図２】前記実施の形態を示す縦断面図である。
【符号の説明】
１              太陽エネルギー変換パネルとしての太陽電池パネル
２              屋根
３              支持構造
５              支持用レール部材
７              縦枠
７Ａ            脚部
１０            レール本体
１１            突起部
１２            ブチルシール
【図１】
0003644753.tif 000002
【図２】
0003644753.tif 000003